(57)【特許請求の範囲】
【請求項１】
ダウンリンクデータ伝送用のプリコーディング行列のレベル１プリコーディング行列の次元を取得するステップと、
前記レベル１プリコーディング行列の次元に基づいて、前記レベル１プリコーディング行列のプリコード化行列指標情報を取得するステップと、
前記プリコーディング行列のうち、それぞれ直前レベルのプリコーディング行列から得られるレベル２〜レベルＮ（２より大きい整数）プリコーディング行列のプリコード化行列指標情報を取得するステップと、
各レベルプリコーディング行列のプリコード化行列指標情報を、それぞれ基地局にフィードバックするか、ジョイント符号化後に基地局にフィードバックするステップと
を含むフィードバック方法。
【請求項２】
前記レベル１プリコーディング行列の次元に基づいて、前記レベル１プリコーディング行列のプリコード化行列指標情報を取得するステップは、
前記レベル１プリコーディング行列の第１プリコード化行列指標情報ＰＭＩ１を取得するステップ、
または、
前記レベル１プリコーディング行列の水平次元プリコード化行列指標情報Ｈ−ＰＭＩ１および垂直次元プリコード化行列指標情報Ｖ−ＰＭＩ１を取得するステップを含む請求項１に記載のフィードバック方法。
【請求項３】
各レベルプリコーディング行列のプリコード化行列指標情報を、それぞれ基地局にフィードバックするステップは、
レベル１プリコーディング行列の第１プリコード化行列指標情報ＰＭＩ１、レベル２〜レベルＮプリコーディング行列のプリコード化行列指標情報ＰＭＩ２〜ＰＭＩＮをそれぞれ基地局にフィードバックするステップ、または、
レベル１プリコーディング行列の水平次元プリコード化行列指標情報Ｈ−ＰＭＩ１、垂直次元プリコード化行列指標情報Ｖ−ＰＭＩ１、およびレベル２〜レベルＮプリコーディング行列のプリコード化行列指標情報ＰＭＩ２〜ＰＭＩＮをそれぞれ基地局にフィードバックするステップを含む請求項２に記載のフィードバック方法。
【請求項４】
前記各レベルプリコーディング行列のプリコード化行列指標情報をジョイント符号化後に基地局にフィードバックするステップは、
レベル１プリコーディング行列の第１プリコード化行列指標情報ＰＭＩ１、レベル２〜レベルＮプリコーディング行列のプリコード化行列指標情報ＰＭＩ２〜ＰＭＩＮのうちの少なくとも２つをジョイント符号化後に基地局にフィードバックするステップ、または、
レベル１プリコーディング行列の水平次元プリコード化行列指標情報Ｈ−ＰＭＩ１、垂直次元プリコード化行列指標情報Ｖ−ＰＭＩ１、およびレベル２〜レベルＮプリコーディング行列のプリコード化行列指標情報ＰＭＩ２〜ＰＭＩＮのうちの少なくとも２つをジョイント符号化後に基地局にフィードバックするステップ
を含む請求項２に記載のフィードバック方法。
【請求項５】
プリコーディング行列確定用のランク情報ＲＩを基地局に独自にフィードバックするステップ、
または、
前記プリコーディング行列確定用のチャネル品質情報ＣＱＩを基地局に独自にフィードバックするステップ、
または、
プリコーディング行列確定用のランク情報ＲＩと、レベル１プリコーディング行列のプリコード化行列指標情報ＰＭＩ１またはＶ−ＰＭＩ１とをジョイント符号化後に基地局にフィードバックするステップ、
または、
前記プリコーディング行列確定用のチャネル品質情報ＣＱＩと、Ｈ−ＰＭＩ１、ＰＭＩ２〜ＰＭＩＮのうちの少なくとも１つをジョイント符号化後に基地局にフィードバックするステップ
をさらに含む請求項３又は４に記載のフィードバック方法。
【請求項６】
ＲＩのフィードバック周期は、実質上ＰＭＩ１、Ｈ−ＰＭＩ１、Ｖ−ＰＭＩ１のフィードバック周期以上であり、
ＰＭＩ１のフィードバック周期は、実質上ＰＭＩ２〜ＰＭＩＮのフィードバック周期以上であり、
ＰＭＩ２のフィードバック周期は、ＣＱＩのフィードバック周期とは実質上同一であり、
Ｖ−ＰＭＩ１のフィードバック周期は、実質上Ｈ−ＰＭＩ１のフィードバック周期以上である請求項５に記載のフィードバック方法。
【請求項７】
Ｔ−ＲＩ＝ＭＲＩ×Ｈ×Ｎｐ；
Ｔ−ＰＭＩ１＝Ｈ×Ｎｐ；
Ｎｐ＝Ｔ−ＰＭＩ２／２；
ここで、Ｔ−ＰＭＩ１は、ＰＭＩ１のフィードバック周期であるか、ＰＭＩ１と、ＰＭＩ１の独自フィードバックのフィードバック周期より実質上小さいフィードバック周期である他フィードバック量とのジョイント符号化後のフィードバック周期であり、
Ｔ−ＰＭＩ２は、ＰＭＩ２またはＣＱＩのフィードバック周期であり、
Ｔ−ＲＩは、ＲＩのフィードバック周期であるか、ＲＩと、ＲＩのフィードバック周期より小さいフィードバック周期である他フィードバック量とのジョイント符号化後のフィードバック周期であり、
ＭＲＩ、Ｈは、正整数である請求項６に記載のフィードバック方法。
【請求項８】
ＲＩのフィードバックプライオリティは、ＰＭＩ１のフィードバックプライオリティより大きく、
ＰＭＩ１のフィードバックプライオリティは、ＰＭＩ２〜ＰＭＩＮのフィードバックプライオリティより大きく、
ＰＭＩ１のフィードバックプライオリティは、ＣＱＩのフィードバックプライオリティより大きく、
Ｖ−ＰＭＩ１のフィードバックプライオリティは、Ｈ−ＰＭＩ１、ＰＭＩ２〜ＰＭＩＮのフィードバックプライオリティより大きい請求項５に記載のフィードバック方法。
【請求項９】
ダウンリンクデータ伝送用のプリコーディング行列のレベル１プリコーディング行列のプリコード化行列指標情報を取得するための取得モジュールと、
各レベルプリコーディング行列のプリコード化行列指標情報を、それぞれ基地局にフィードバックするか、ジョイント符号化後に基地局にフィードバックするためのフィードバックモジュールと
を含み、
前記取得モジュールは、
ダウンリンクデータ伝送用のプリコーディング行列のレベル１プリコーディング行列の次元を取得するための第１取得ユニットと、
前記レベル１プリコーディング行列の次元に基づいて、前記レベル１プリコーディング行列のプリコード化行列指標情報を取得するための第２取得ユニットと、
前記プリコーディング行列のうち、それぞれ直前レベルのプリコーディング行列から得られるレベル２〜レベルＮ（２より大きい整数）プリコーディング行列のプリコード化行列指標情報を取得するための第３取得ユニットと
を含むフィードバック装置。
【請求項１０】
前記第２取得ユニットは、
前記レベル１プリコーディング行列の第１プリコード化行列指標情報ＰＭＩ１を取得すること、または、前記レベル１プリコーディング行列の水平次元プリコード化行列指標情報Ｈ−ＰＭＩ１および垂直次元プリコード化行列指標情報Ｖ−ＰＭＩ１を取得するために用いられる請求項９に記載のフィードバック装置。
【請求項１１】
前記フィードバックモジュールは、
レベル１プリコーディング行列の第１プリコード化行列指標情報ＰＭＩ１、レベル２〜レベルＮプリコーディング行列のプリコード化行列指標情報ＰＭＩ２〜ＰＭＩＮをそれぞれ基地局にフィードバックする、または、レベル１プリコーディング行列の水平次元プリコード化行列指標情報Ｈ−ＰＭＩ１、垂直次元プリコード化行列指標情報Ｖ−ＰＭＩ１、およびレベル２〜レベルＮプリコーディング行列のプリコード化行列指標情報ＰＭＩ２〜ＰＭＩＮをそれぞれ基地局にフィードバックする第１独自フィードバックユニット、
又は、
レベル１プリコーディング行列の第１プリコード化行列指標情報ＰＭＩ１、レベル２〜レベルＮプリコーディング行列のプリコード化行列指標情報ＰＭＩ２〜ＰＭＩＮのうちの少なくとも２つをジョイント符号化後に基地局にフィードバックする、または、レベル１プリコーディング行列の水平次元プリコード化行列指標情報Ｈ−ＰＭＩ１、垂直次元プリコード化行列指標情報Ｖ−ＰＭＩ１、およびレベル２〜レベルＮプリコーディング行列のプリコード化行列指標情報ＰＭＩ２〜ＰＭＩＮのうちの少なくとも２つをジョイント符号化後に基地局にフィードバックする第１ジョイントフィードバックユニットを含む
請求項１０に記載のフィードバック装置。
【請求項１２】
前記フィードバックモジュールは、
プリコーディング行列確定用のランク情報ＲＩを基地局に独自にフィードバックすること、または、前記プリコーディング行列確定用のチャネル品質情報ＣＱＩを基地局に独自にフィードバックするための第２独自フィードバックユニット、
または、
プリコーディング行列確定用のランク情報ＲＩと、レベル１プリコーディング行列のプリコード化行列指標情報ＰＭＩ１またはＶ−ＰＭＩ１とをジョイント符号化後に基地局にフィードバックすること、または、前記プリコーディング行列確定用のチャネル品質情報ＣＱＩと、Ｈ−ＰＭＩ１、ＰＭＩ２〜ＰＭＩＮのうちの少なくとも１つをジョイント符号化後に基地局にフィードバックするための第２ジョイントフィードバックユニットをさらに含む請求項１１に記載のフィードバック装置。
【請求項１３】
ＲＩのフィードバック周期は、実質上ＰＭＩ１、Ｈ−ＰＭＩ１、Ｖ−ＰＭＩ１のフィードバック周期以上であり、
ＰＭＩ１のフィードバック周期は、実質上ＰＭＩ２〜ＰＭＩＮのフィードバック周期以上であり、
ＰＭＩ２のフィードバック周期は、ＣＱＩのフィードバック周期とは実質上同一であり、
Ｖ−ＰＭＩ１のフィードバック周期は、実質上Ｈ−ＰＭＩ１のフィードバック周期以上であり、
ここで、
Ｔ−ＲＩ＝ＭＲＩ×Ｈ×Ｎｐ；
Ｔ−ＰＭＩ１＝Ｈ×Ｎｐ；
Ｎｐ＝Ｔ−ＰＭＩ２／２；
ここで、Ｔ−ＰＭＩ１は、ＰＭＩ１のフィードバック周期であるか、ＰＭＩ１と、ＰＭＩ１の独自フィードバックのフィードバック周期より実質上小さいフィードバック周期である他フィードバック量とのジョイント符号化後のフィードバック周期であり、
Ｔ−ＰＭＩ２は、ＰＭＩ２またはＣＱＩのフィードバック周期であり、
Ｔ−ＲＩは、ＲＩのフィードバック周期であるか、ＲＩと、ＲＩのフィードバック周期より小さいフィードバック周期である他フィードバック量とのジョイント符号化後のフィードバック周期であり、
ＭＲＩ、Ｈは、正整数である請求項１２に記載のフィードバック装置。
【請求項１４】
ＲＩのフィードバックプライオリティは、ＰＭＩ１のフィードバックプライオリティより大きく、
ＰＭＩ１のフィードバックプライオリティは、ＰＭＩ２〜ＰＭＩＮのフィードバックプライオリティより大きく、
ＰＭＩ１のフィードバックプライオリティは、ＣＱＩのフィードバックプライオリティより大きく、
Ｖ−ＰＭＩ１のフィードバックプライオリティは、Ｈ−ＰＭＩ１、ＰＭＩ２〜ＰＭＩＮのフィードバックプライオリティより大きい請求項１３に記載のフィードバック装置。
【発明の詳細な説明】
【技術分野】
【０００１】
本願は、２０１５年８月１４日に中国特許庁に提出された中国特許出願２０１５１０５０１７６９．６の優先権を主張し、その全ての内容が援用により本願に取り込まれる。
【０００２】
本開示は、通信技術分野に係り、特に情報フィードバック方法、情報フィードバック装置および端末に関する。
【背景技術】
【０００３】
モバイルインターネットの著しい発展と伴い、サービスデータの流量が急劇に増加し、従来の無線網には、極めて大きな調整が求められている。現在の主流となっている通信システム（ＬＴＥ；Ｌｏｎｇ  Ｔｅｒｍ  Ｅｖｏｌｕｔｉｏｎ）にとって、システム容量の増加および干渉の低減は、相変わらず最も重要な発展目標である。
【０００４】
従来の２Ｄ  ＭＩＭＯに比べ、３Ｄ  ＭＩＭＯは、従来の２Ｄ  ＭＩＭＯを基に、垂直次元で使用可能な次元が増えている。当該次元のチャネル情報を効果的に利用すれば、セル間の同一周波数ユーザの干渉を効果的に抑止することができ、境界ユーザ乃至セル全体の平均スループットを向上させる。
【０００５】
現在のＦＤＤ（Ｆｒｅｑｕｅｎｃｙ  Ｄｉｖｉｓｉｏｎ  Ｄｕａｌ）ＬＴＥシステムにおいて、ダウンリンクＣＳＩ（Ｃｈａｎｎｅｌ  Ｓｔａｔｅ  Ｉｎｆｏｒｍａｔｉｏｎ）を取得するには、ＵＥ（Ｕｓｅｒ  Ｅｑｕｉｐｍｅｎｔ）が、ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、ＣＲＳ（Ｃｅｌｌ−ｓｐｅｃｉｆｉｃ  ｒｅｆｅｒｅｎｃｅ  ｓｉｇｎａｌｓ）といったダウンリンク参照信号を利用してダウンリンクチャネルの推定を行い、ＲＩ（ｒａｎｋ  ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）およびＣＱＩ（Ｃｈａｎｎｅｌ  Ｑｕａｌｉｔｙ  Ｉｎｄｉｃａｔｏｒ）をｅＮＢ（改良型ノードＢ、すなわち基地局）側にフィードバックする必要がある。ＵＥは、周期的レポート又は非周期的レポートの２種類の方式でＣＳＩをレポートすることができる。周期的にレポートする場合、ＣＳＩは、１１ビット（ｂｉｔ）を超えてはならないので、ＣＳＩレポートの精度は、比較的粗いものである。
【０００６】
現在のＬＴＥシステムの周期的フィードバック方式の設計は、８アンテナのコードブックしか考慮されていない。一方、３Ｄ  ＭＩＭＯのコードブックは、現在の８アンテナコードブックに比較してその数が著しく増加している。したがって、ＵＥによるチャネル状態情報（ＣＳＩ）レポートの際に、フィードバックオーバヘッドが増加する。これによれば、従来のフィードバックモードは、これ以上の数のコードブックフィードバックに対応することが難しい。３Ｄ  ＭＩＭＯコードブックのフィードバック方式の設計について、業界ではまだ関連対策が提案されていない。
【発明の概要】
【発明が解決しようとする課題】
【０００７】
本開示が解決しようとする技術課題は、より高いコードブックフィードバック負荷に対応可能な情報フィードバック方法、装置および端末を提供することである。
【課題を解決するための手段】
【０００８】
上記技術課題を解決するために、第１態様として、本開示の実施例は、ダウンリンクデータ伝送用のプリコーディング行列の多レベルプリコーディング行列のプリコード化行列指標情報を取得するステップと、前記多レベルプリコーディング行列の各レベルプリコーディング行列のプリコード化行列指標情報を、それぞれ基地局にフィードバックするか、ジョイント符号化後に基地局にフィードバックするステップとを含む情報フィードバック方法を提供する。
【０００９】
１つの実施可能な実施例において、ダウンリンクデータ伝送用のプリコーディング行列の多レベルプリコーディング行列のプリコード化行列指標情報を取得するステップは、ダウンリンクデータ伝送用のプリコーディング行列のレベル１プリコーディング行列の次元を取得するステップと、前記レベル１プリコーディング行列の次元に基づいて、前記レベル１プリコーディング行列のプリコード化行列指標情報を取得するステップと、前記プリコーディング行列のうち、それぞれ直前レベルのプリコーディング行列から得られるレベル２〜Ｎ（２より大きい整数）プリコーディング行列のプリコード化行列指標情報を取得するステップとを含む。
【００１０】
１つの実施可能な実施例において、前記レベル１プリコーディング行列の次元に基づいて、前記レベル１プリコーディング行列のプリコード化行列指標情報を取得するステップは、前記レベル１プリコーディング行列の第１プリコード化行列指標情報ＰＭＩ１を取得するステップ、または、前記レベル１プリコーディング行列の水平次元プリコード化行列指標情報Ｈ−ＰＭＩ１および垂直次元プリコード化行列指標情報Ｖ−ＰＭＩ１を取得するステップを含む。
【００１１】
１つの実施可能な実施例において、前記多レベルプリコーディング行列の各レベルプリコーディング行列のプリコード化行列指標情報をジョイント符号化後に基地局にフィードバックするステップは、各レベルプリコーディング行列の水平次元プリコード化行列指標情報、垂直次元プリコード化行列指標情報の少なくとも１つと、他のプリコード化行列指標情報とをジョイント符号化後に基地局にフィードバックするステップを含む。
【００１２】
１つの実施可能な実施例において、前記多レベルプリコーディング行列の各レベルプリコーディング行列のプリコード化行列指標情報を、それぞれ基地局にフィードバックするか、ジョイント符号化後に基地局にフィードバックするステップは、レベル１プリコーディング行列の第１プリコード化行列指標情報ＰＭＩ１およびレベル２〜Ｎプリコーディング行列のプリコード化行列指標情報ＰＭＩ２〜ＰＭＩＮをそれぞれ基地局にフィードバックするステップ、または、レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮをそれぞれ基地局にフィードバックするステップ、または、レベル１プリコーディング行列の第１プリコード化行列指標情報ＰＭＩ１、レベル２〜Ｎプリコーディング行列のプリコード化行列指標情報ＰＭＩ２〜ＰＭＩＮのうちの少なくとも２つをジョイント符号化後に基地局にフィードバックするステップ、または、レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮのうちの少なくとも２つをジョイント符号化後に基地局にフィードバックするステップを含む。
【００１３】
１つの実施可能な実施例において、上記フィードバック方法は、プリコーディング行列確定用のランク情報ＲＩを基地局に独自にフィードバックするステップ、または、前記プリコーディング行列確定用のチャネル品質情報ＣＱＩを基地局に独自にフィードバックするステップ、または、プリコーディング行列確定用のランク情報ＲＩと、レベル１プリコーディング行列のプリコード化行列指標情報ＰＭＩ１またはＶ−ＰＭＩ１とをジョイント符号化後に基地局にフィードバックするステップ、または、前記プリコーディング行列確定用のチャネル品質情報ＣＱＩと、Ｈ−ＰＭＩ１、ＰＭＩ２〜ＰＭＩＮのうちの少なくとも１つをジョイント符号化後に基地局にフィードバックするステップをさらに含む。
【００１４】
１つの実施可能な実施例において、ＲＩのフィードバック周期は、実質上ＰＭＩ１、Ｈ−ＰＭＩ１、Ｖ−ＰＭＩ１のフィードバック周期以上であり、ＰＭＩ１のフィードバック周期は、実質上ＰＭＩ２〜ＰＭＩＮのフィードバック周期以上であり、ＰＭＩ２のフィードバック周期は、ＣＱＩのフィードバック周期と実質上同一であり、Ｖ−ＰＭＩ１のフィードバック周期は、実質上Ｈ−ＰＭＩ１のフィードバック周期以上である。
【００１５】
１つの実施可能な実施例において、Ｔ−ＰＭＩ１を、ＰＭＩ１のフィードバック周期、または、ＰＭＩ１と、ＰＭＩ１の独自フィードバックのフィードバック周期より実質上小さいフィードバック周期である他フィードバック量とのジョイント符号化後のフィードバック周期とし、Ｔ−ＰＭＩ２を、ＰＭＩ２またはＣＱＩのフィードバック周期とし、Ｔ−ＲＩを、ＲＩのフィードバック周期、または、ＲＩと、ＲＩのフィードバック周期より小さいフィードバック周期である他フィードバック量とのジョイント符号化後のフィードバック周期とし、ＭＲＩ、Ｈを正の整数とすると、Ｔ−ＲＩ＝ＭＲＩ×Ｈ×Ｎｐ；Ｔ−ＰＭＩ１＝Ｈ×Ｎｐ；Ｎｐ＝Ｔ−ＰＭＩ２／２である。
【００１６】
１つの実施可能な実施例において、ＲＩのフィードバックプライオリティは、ＰＭＩ１のフィードバックプライオリティより大きく、ＰＭＩ１のフィードバックプライオリティは、ＰＭＩ２〜ＰＭＩＮのフィードバックプライオリティより大きく、ＰＭＩ１のフィードバックプライオリティは、ＣＱＩのフィードバックプライオリティより大きく、Ｖ−ＰＭＩ１のフィードバックプライオリティは、Ｈ−ＰＭＩ１、ＰＭＩ２〜ＰＭＩＮのフィードバックプライオリティより大きい。
【００１７】
１つの実施可能な実施例において、同一端末から２つの基地局への同時フィードバックが必要となる場合、水平次元制御可のＭＩＭＯアンテナを有する基地局である第１基地局にフィードバックする第１ＲＩのフィードバックプライオリティは、水平次元と垂直次元の別々制御可のＭＩＭＯアンテナを有する基地局である第２基地局にフィードバックする第２ＲＩのフィードバックプライオリティより大きく、前記第２ＲＩのフィードバックプライオリティは、第１基地局にフィードバックするＰＭＩ１のフィードバックプライオリティより大きく、第１基地局にフィードバックするＰＭＩ１のフィードバックプライオリティは、第２基地局にフィードバックするＰＭＩ１のフィードバックプライオリティより大きく、第２基地局にフィードバックするＰＭＩ１のフィードバックプライオリティは、第１基地局にフィードバックするＰＭＩ２および第１基地局にフィードバックする第１ＣＱＩのフィードバックプライオリティより大きく、第２基地局にフィードバックするＶ−ＰＭＩ１のプライオリティは、第１基地局にフィードバックするＰＭＩ１のフィードバックプライオリティより大きく、第１基地局にフィードバックするＰＭＩ１のフィードバックプライオリティは、第２基地局にフィードバックするＨ−ＰＭＩ１と第２基地局にフィードバックするＰＭＩ２のフィードバックプライオリティより大きい。
【００１８】
第２態様として、本開示の実施例は、ダウンリンクデータ伝送用のプリコーディング行列の多レベルプリコーディング行列のプリコード化行列指標情報を取得するための取得モジュールと、前記多レベルプリコーディング行列の各レベルプリコーディング行列のプリコード化行列指標情報を、それぞれ基地局にフィードバックするか、ジョイント符号化後に基地局にフィードバックするためのフィードバックモジュールとを含む情報フィードバック装置を提供する。
【００１９】
１つの実施可能な実施例において、前記取得モジュールは、ダウンリンクデータ伝送用のプリコーディング行列のレベル１プリコーディング行列の次元を取得するための第１取得ユニットと、前記レベル１プリコーディング行列の次元に基づいて、前記レベル１プリコーディング行列のプリコード化行列指標情報を取得するための第２取得ユニットと、前記プリコーディング行列のうち、それぞれ直前レベルのプリコーディング行列から得られるレベル２〜Ｎ（２より大きい整数）プリコーディング行列のプリコード化行列指標情報を取得するための第３取得ユニットとを含む。
【００２０】
１つの実施可能な実施例において、前記第２取得ユニットは、前記レベル１プリコーディング行列の第１プリコード化行列指標情報ＰＭＩ１を取得すること、または、前記レベル１プリコーディング行列の水平次元プリコード化行列指標情報Ｈ−ＰＭＩ１および垂直次元プリコード化行列指標情報Ｖ−ＰＭＩ１を取得するために用いられる。
【００２１】
１つの実施可能な実施例において、前記フィードバックモジュールは、ジョイント符号化に基づくフィードバックの場合、各レベルプリコーディング行列の水平次元プリコード化行列指標情報、垂直次元プリコード化行列指標情報の少なくとも１つと、他のプリコード化行列指標情報とをジョイント符号化後に基地局にフィードバックする。
【００２２】
１つの実施可能な実施例において、前記フィードバックモジュールは、前記レベル１プリコーディング行列の第１プリコード化行列指標情報ＰＭＩ１およびレベル２〜Ｎプリコーディング行列のプリコード化行列指標情報ＰＭＩ２〜ＰＭＩＮをそれぞれ基地局にフィードバックすること、または、前記レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮをそれぞれ基地局にフィードバックするための第１独自フィードバックユニット、または、前記レベル１プリコーディング行列の第１プリコード化行列指標情報ＰＭＩ１、レベル２〜Ｎプリコーディング行列のプリコード化行列指標情報ＰＭＩ２〜ＰＭＩＮのうちの少なくとも２つをジョイント符号化後に基地局にフィードバックすること、または、前記レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮのうちの少なくとも２つをジョイント符号化後に基地局にフィードバックするための第１ジョイントフィードバックユニットを含む。
【００２３】
１つの実施可能な実施例において、前記フィードバックモジュールは、プリコーディング行列確定用のランク情報ＲＩを基地局に独自にフィードバックすること、または、前記プリコーディング行列確定用のチャネル品質情報ＣＱＩを基地局に独自にフィードバックするための第２独自フィードバックユニット、または、プリコーディング行列確定用のランク情報ＲＩと、レベル１プリコーディング行列のプリコード化行列指標情報ＰＭＩ１またはＶ−ＰＭＩ１とをジョイント符号化後に基地局にフィードバックすること、または、前記プリコーディング行列確定用のチャネル品質情報ＣＱＩと、Ｈ−ＰＭＩ１、ＰＭＩ２〜ＰＭＩＮのうちの少なくとも１つをジョイント符号化後に基地局にフィードバックするための第２ジョイントフィードバックユニットをさらに含む。
【００２４】
１つの実施可能な実施例において、ＲＩのフィードバック周期は、実質上ＰＭＩ１、Ｈ−ＰＭＩ１、Ｖ−ＰＭＩ１のフィードバック周期以上であり、ＰＭＩ１のフィードバック周期は、実質上ＰＭＩ２〜ＰＭＩＮのフィードバック周期以上であり、ＰＭＩ２のフィードバック周期は、ＣＱＩのフィードバック周期と実質上同一であり、Ｖ−ＰＭＩ１のフィードバック周期は、実質上Ｈ−ＰＭＩ１のフィードバック周期以上である。
【００２５】
１つの実施可能な実施例において、Ｔ−ＰＭＩ１を、ＰＭＩ１のフィードバック周期、または、ＰＭＩ１と、ＰＭＩ１の独自フィードバックのフィードバック周期より実質上小さいフィードバック周期である他フィードバック量とのジョイント符号化後のフィードバック周期とし、Ｔ−ＰＭＩ２を、ＰＭＩ２またはＣＱＩのフィードバック周期とし、Ｔ−ＲＩを、ＲＩのフィードバック周期、または、ＲＩと、ＲＩのフィードバック周期より小さいフィードバック周期である他フィードバック量とのジョイント符号化後のフィードバック周期とし、ＭＲＩ、Ｈを正の整数とすると、Ｔ−ＲＩ＝ＭＲＩ×Ｈ×Ｎｐ；Ｔ−ＰＭＩ１＝Ｈ×Ｎｐ；Ｎｐ＝Ｔ−ＰＭＩ２／２である。
【００２６】
１つの実施可能な実施例において、ＲＩのフィードバックプライオリティは、ＰＭＩ１のフィードバックプライオリティより大きく、ＰＭＩ１のフィードバックプライオリティは、ＰＭＩ２〜ＰＭＩＮのフィードバックプライオリティより大きく、ＰＭＩ１のフィードバックプライオリティは、ＣＱＩのフィードバックプライオリティより大きく、Ｖ−ＰＭＩ１のフィードバックプライオリティは、Ｈ−ＰＭＩ１、ＰＭＩ２〜ＰＭＩＮのフィードバックプライオリティより大きい。
【００２７】
１つの実施可能な実施例において、同一端末から２つの基地局への同時フィードバックが必要となる場合、前記フィードバックモジュールから、水平次元制御可のＭＩＭＯアンテナを有する基地局である第１基地局にフィードバックする第１ＲＩのフィードバックプライオリティは、水平次元と垂直次元の別々制御可のＭＩＭＯアンテナを有する基地局である第２基地局にフィードバックする第２ＲＩのフィードバックプライオリティより大きく、前記第２ＲＩのフィードバックプライオリティは、第１基地局にフィードバックするＰＭＩ１のフィードバックプライオリティより大きく、第１基地局にフィードバックするＰＭＩ１のフィードバックプライオリティは、第２基地局にフィードバックするＰＭＩ１のフィードバックプライオリティより大きく、第２基地局にフィードバックするＰＭＩ１のフィードバックプライオリティは、第１基地局にフィードバックするＰＭＩ２および第１基地局にフィードバックする第１ＣＱＩのフィードバックプライオリティより大きく、第２基地局にフィードバックするＶ−ＰＭＩ１のプライオリティは、第１基地局にフィードバックするＰＭＩ１のフィードバックプライオリティより大きく、第１基地局にフィードバックするＰＭＩ１のフィードバックプライオリティは、第２基地局にフィードバックするＨ−ＰＭＩ１と第２基地局にフィードバックするＰＭＩ２のフィードバックプライオリティより大きい。
【００２８】
第３態様として、本開示の実施例は、プロセッサと、バスインタフェースを介して前記プロセッサに接続し、前記プロセッサによる操作実行時に使用されるプログラムとデータを記憶するためのメモリとを含む端末をさらに提供する。プロセッサが前記メモリからプログラムとデータを呼び出して実行する場合、前記端末は、ダウンリンクデータ伝送用のプリコーディング行列の多レベルプリコーディング行列のプリコード化行列指標情報を取得するステップと、前記多レベルプリコーディング行列の各レベルプリコーディング行列のプリコード化行列指標情報を、それぞれ基地局にフィードバックするか、ジョイント符号化後に基地局にフィードバックするステップとを実行する。
【発明の効果】
【００２９】
上記技術手段は、ダウンリンクデータ伝送用のプリコーディング行列の多レベルプリコーディング行列のプリコード化行列指標情報を取得し、前記多レベルプリコーディング行列の各レベルプリコーディング行列のプリコード化行列指標情報を、それぞれ基地局にフィードバックするか、ジョイント符号化後に基地局にフィードバックすることによって、より高いコードブックフィードバック負荷に対応でき、３Ｄ  ＭＩＭＯアンテナアレイのコードブックフィードバック負荷を満足することができる。
【図面の簡単な説明】
【００３０】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００３１】
【図１】２Ｄ  ＭＩＭＯの二重偏波アンテナアレイの概略図である。
【図２】２Ｄ  ＭＩＭＯの単一偏波アンテナアレイの概略図である。
【図３】３Ｄ  ＭＩＭＯの二重偏波アンテナアレイの概略図である。
【図４】３Ｄ  ＭＩＭＯの単一偏波アンテナアレイの概略図である。
【図５】本開示の第１実施例による情報フィードバック方法のフローチャートである。
【図６】本開示の第２実施例による情報フィードバック方法のフローチャートである。
【図７】本開示の第２実施例による情報フィードバック方法のフローチャートである。
【図８】本開示の第３実施例による情報フィードバック方法のフローチャートである。
【図９】本開示の第３実施例におけるフィードバックケース１の概略図である。
【図１０】本開示の第３実施例におけるフィードバックケース２の概略図である。
【図１１】本開示の第３実施例におけるフィードバックケース３の概略図である。
【図１２】本開示の第３実施例におけるフィードバックケース４の概略図である。
【図１３】本開示の第４実施例による情報フィードバック装置の構造概略図である。
【図１４】本開示の第５実施例による端末の構造概略図である。
【発明を実施するための形態】
【００３２】
以下、図面と実施例を参照しながら、本開示の具体的な実施形態を更に記載する。以下の実施例は、本開示の説明に用いられ、本開示の範囲を限定するためのものではない。
【００３３】
本開示の実施例の目的、技術手段及び利点をより明確にするために、以下、本開示の実施例の図面を参照しながら、本開示の実施例の技術手段を明確且つ完全に記載する。明らかに、記載する実施例は、本開示の実施例の一部であり、全てではない。記載する本開示の実施例に基づき、当業者が為しえる全ての実施例は、いずれも本開示の保護範囲に属するものである。
【００３４】
別途に定義することを除き、ここで使用される技術用語や科学用語は、本開示の所属する分野の一般技能を持つ者が理解する通常の意味である。本開示の明細書及び特許請求の範囲に使用される「第１」、「第２」及び類似用語は、単に異なる構成部分を区別するためのものであり、順番、数量又は重要度を一切表さない。同様に、「１つ」又は「一」などの類似用語は、少なくとも１つ存在することを表し、数の限定ではない。「接続」や「連結」などの類似用語は、物理や機械的接続に限定するのではなく、直接か間接かを関係なしに電気的接続も含む。「上」、「下」、「左」、「右」などは、相対的位置関係を表すものであり、記載対象の絶対位置が変わると、当該相対的位置関係も対応的に変わる。
【００３５】
以下、本開示の実施例の図面を参照しながら、本開示の実施例の技術手段を明確且つ完全に記載する。明らかに、記載する実施例は、本開示の実施例の一部であり、全てではない。本開示の実施例に基づき、当業者が為しえる全ての実施例は、本開示の保護範囲に属するものである。
【００３６】
本開示の解決しようとする課題、技術手段および利点をより明確にするために、以下、図面および具体的な実施例と併せて詳細に記載する。
【００３７】
図１の水平排列の二重偏波アンテナと図２の水平排列の単一偏波アンテナのように、現在の水平次元制御可の２Ｄ  ＭＩＭＯ（Ｍｕｌｔｉｐｌｅ−Ｉｎｐｕｔ  Ｍｕｌｔｉｐｌｅ−Ｏｕｔｐｕｔ）インテリジェントアンテナは、送信側と受信側でそれぞれ複数の送信アンテナと受信アンテナが使用されており、主に水平方向の空間自由度を利用してマルチアンテナゲインを取得する。
【００３８】
無線分野の新技術である水平次元制御可と垂直次元制御可の３Ｄ  ＭＩＭＯは、ますます注目されている。図３の水平と垂直排列の二重偏波アンテナと図４の水平と垂直排列の単一偏波アンテナのように、３Ｄ  ＭＩＭＯ技術は、従来のアンテナのサイズを変更することなく、各垂直アンテナ素子を複数の素子に分割することによって、ＭＩＭＯの別垂直方向の空間次元を開発している。３Ｄ  ＭＩＭＯによって、ＭＩＭＯ技術がより高い発展レベルに推進され、ＬＴＥ伝送技術性能の向上空間がより広くなり、セル間干渉やシステムスループットとスペクトル効率の向上が可能となる。
【００３９】
従来のセルラーシステムにおいて、基地局の送信側のビームは、水平次元での調整のみが可能であり、垂直次元で各ユーザに対して一定の下方傾斜角度である。したがって、各種類のビームフォーミング／プリコーディング技術などは、いずれも水平次元チャネル情報に基づいて行われる。事実上、チャネルが３Ｄであるため、一定下方傾斜角度の方法では、システムのスループットを最適化することができない。セルのユーザ数の増加につれて、ユーザは、セル中心やセル境界を含むセル内の異なる領域に分布する。従来の２Ｄビームフォーミングを使用すると、水平次元チャネル情報に基づく水平方向での区分しかできず、垂直次元でのユーザ区分ができず、システム性能に大きく影響する。
【００４０】
従来の２Ｄ  ＭＩＭＯに比べ、３Ｄ  ＭＩＭＯは、従来の２Ｄ  ＭＩＭＯを基に、垂直次元で使用可能な次元が増えている。当該次元のチャネル情報を効果的に利用すれば、セル間の同一周波数ユーザの干渉を効果的に抑止することができ、境界ユーザやセル全体の平均スループットを向上させる。
【００４１】
現在のＦＤＤ（Ｆｒｅｑｕｅｎｃｙ  Ｄｉｖｉｓｉｏｎ  Ｄｕａｌ）ＬＴＥシステムにおいて、ダウンリンクＣＳＩ（Ｃｈａｎｎｅｌ  Ｓｔａｔｅ  Ｉｎｆｏｒｍａｔｉｏｎ）を取得するには、ＵＥ（Ｕｓｅｒ  Ｅｑｕｉｐｍｅｎｔ）は、ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、ＣＲＳ（Ｃｅｌｌ−ｓｐｅｃｉｆｉｃ  ｒｅｆｅｒｅｎｃｅ  ｓｉｇｎａｌｓ）といったダウンリンク参照信号を利用してダウンリンクチャネルの推定を行い、ＲＩ（ｒａｎｋ  ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）およびＣＱＩ（Ｃｈａｎｎｅｌ  Ｑｕａｌｉｔｙ  Ｉｎｄｉｃａｔｏｒ）をｅＮＢ（改良型ノードＢ、すなわち基地局）側にフィードバックする必要がある。ＵＥは、周期的レポート又は非周期的レポートの２種類の方式でＣＳＩをレポートすることができる。周期的にレポートする場合、ＣＳＩは、１１ビット（ｂｉｔ）を超えてはならないので、ＣＳＩレポートの精度は、比較的粗いものである。
【００４２】
現在のＬＴＥシステムの周期的フィードバック方式の設計は、８アンテナのコードブックしか考慮されていない。一方、３Ｄ  ＭＩＭＯのコードブックは、現在の８アンテナコードブックに比較してその数が著しく増加している。したがって、ＵＥによるチャネル状態情報（ＣＳＩ）レポートの際に、フィードバックオーバヘッドが増加し、従来のフィードバックモードは、これ以上の数のコードブックフィードバックに対応することが難しい。３Ｄ  ＭＩＭＯコードブックのフィードバック方式の設計について、業界ではまだ関連対策が提案されていない。
【００４３】
本開示は、より高いコードブックフィードバック負荷に対応可能なチャネル状態情報フィードバック手段がないという従来技術の問題に対し、より高いコードブックフィードバック負荷に対応可能であり、３Ｄ  ＭＩＭＯアンテナアレイのコードブックフィードバック負荷を満足することができる情報フィードバック方法、情報フィードバック装置および端末を提供する。
【００４４】
第１実施例
図５に示すように、本開示の実施例による情報フィードバック方法は、ダウンリンクデータ伝送用のプリコーディング行列の多レベルプリコーディング行列のプリコード化行列指標情報を取得するステップ５１と、前記多レベルプリコーディング行列の各レベルプリコーディング行列のプリコード化行列指標情報を、それぞれ基地局にフィードバックするか、ジョイント符号化後に基地局にフィードバックするステップ５２とを含む。
【００４５】
ここで、指標情報のジョイント符号化とは、ジョイント符号化後情報の異なるビット領域が、異なる指標情報に対応することである。例えば、ジョイント符号化後の指標情報のうち先端からＮ１個ビットは、第１指標情報に対応し、Ｎ１＋１〜Ｎ２個ビットは、第２指標情報に対応し、これに準じて類推する。
【００４６】
または、ジョイント符号化後の指標情報は、すべての指標情報のジョイント状態を示すために用いられてもよい。すなわち、各指標情報のすべての状態を組み合わせた後に、統一的に符号化を行う。
【００４７】
当該実施例において、ダウンリンクデータ伝送用のプリコーディング行列Ｗは、多レベルプリコーディング行列Ｗ１、Ｗ２、……、ＷＮから算出される。３Ｄ  ＭＩＭＯアンテナアレイのコードブックの設計に関し、多種類の方法がある。例えば、２レベルプリコーディング行列から算出される場合、Ｗ＝Ｗ１×Ｗ２（Ｗ：プリコーディング行列、Ｗ１：レベル１プリコーディング行列；Ｗ２：レベル２プリコーディング行列）である。
ここで、
【数１】
0006723345.tif 000002
【００４８】
ここで、各次元のプリコーディング行列は、１組の列ベクトルからなり、各列ベクトルは、１つの離散フーリエ変換ＤＦＴベクトルから作成される。
【００４９】
Ｗ１が水平と垂直の２つのプリコーディング行列から作成されるため、垂直次元プリコーディング行列、水平次元プリコーディング行列をそれぞれ示す２つのＰＭＩフィードバックの使用が可能である。
【００５０】
Ｗ２に基づく列選択の実現は、Ｗ１のベクトル群からｒ個ベクトルを選択することである。このｒは、ＲＩによって決められる。
【数２】
0006723345.tif 000003
【００５１】
ＵＥは、チャネル推定結果に基づいて、コードワード（すなわちプリコーディング行列）毎に、対応するＣＱＩを算出することができる。ＲＩとＰＭＩが決まると、当該コードワードに対応するＣＱＩも併せてｅＮＢにフィードバックされる。当該実施例は、ダウンリンクデータ伝送用のプリコーディング行列の多レベルプリコーディング行列のプリコード化行列指標情報を取得し、前記多レベルプリコーディング行列の各レベルプリコーディング行列のプリコード化行列指標情報を、それぞれ基地局にフィードバックするか、ジョイント符号化後に基地局にフィードバックすることによって、より高いコードブックフィードバック負荷に対応でき、３Ｄ  ＭＩＭＯアンテナアレイのコードブックフィードバック負荷を満足することができる。
【００５２】
第２実施例
図６に示すように、１つの情報フィードバック方法は、ダウンリンクデータ伝送用のプリコーディング行列のレベル１プリコーディング行列の次元を取得するステップ６１と、前記レベル１プリコーディング行列の次元に基づいて、前記レベル１プリコーディング行列のプリコード化行列指標情報を取得するステップ６２と、前記プリコーディング行列のうち、それぞれ直前レベルのプリコーディング行列から得られるレベル２〜Ｎ（２より大きい整数）プリコーディング行列のプリコード化行列指標情報を取得するステップ６３と、各レベルプリコーディング行列のプリコード化行列指標情報を、それぞれ基地局にフィードバックするか、ジョイント符号化後に基地局にフィードバックするステップ６４とを含む。
【００５３】
図７に示すように、当該実施例のステップ６２の具体的実施に際して、前記レベル１プリコーディング行列の次元に基づいて、前記レベル１プリコーディング行列の第１プリコード化行列指標情報ＰＭＩ１を取得するステップ６２１を含んでもよい。レベル１プリコーディング行列Ｗ１が水平次元と垂直次元のクロネッカー（Ｋｒｏｎｅｃｋｅｒ）積（任意大きさの２つの行列同士の演算）を満足し、または満足しない場合、当該Ｗ１は、１つのプリコード化行列指標情報、すなわちＰＭＩ１に対応する。
【００５４】
ステップ６２の具体的実施に際して、前記レベル１プリコーディング行列の水平次元プリコード化行列指標情報Ｈ−ＰＭＩ１および垂直次元プリコード化行列指標情報Ｖ−ＰＭＩ１を取得するステップ６２２を含んでもよい。レベル１プリコーディング行列Ｗ１が水平次元と垂直次元のクロネッカー積を満足する場合、当該Ｗ１は、１つの水平次元プリコード化行列指標情報Ｈ−ＰＭＩ１および垂直次元プリコード化行列指標情報Ｖ−ＰＭＩ１に対応する。
【００５５】
対応して、当該実施例において独自フィードバックの際に、ステップ６４は、前記レベル１プリコーディング行列の第１プリコード化行列指標情報ＰＭＩ１およびレベル２〜Ｎプリコーディング行列のプリコード化行列指標情報ＰＭＩ２〜ＰＭＩＮをそれぞれ基地局にフィードバックするステップ６４１、または、前記レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮをそれぞれ基地局にフィードバックするステップ６４２を含む。
【００５６】
一方、ジョイントフィードバックの場合、ステップ６４は、前記レベル１プリコーディング行列の第１プリコード化行列指標情報ＰＭＩ１、レベル２〜Ｎプリコーディング行列のプリコード化行列指標情報ＰＭＩ２〜ＰＭＩＮのうちの少なくとも２つをジョイント符号化後に基地局にフィードバックするステップ６４３、または、各レベルプリコーディング行列のプリコード化行列指標情報をジョイント符号化後に基地局にフィードバックする際に、各レベルプリコーディング行列の水平次元プリコード化行列指標情報、垂直次元プリコード化行列指標情報の少なくとも１つと他のプリコード化行列指標情報をジョイント符号化後に基地局にフィードバックするステップ６４４を含む。
【００５７】
具体的にジョイント符号化に基づくフィードバックの場合、前記レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮのうちの少なくとも２つをジョイント符号化後に基地局にフィードバックする。
【００５８】
第３実施例
図８に示すように、１つの情報フィードバック方法は、前記レベル１プリコーディング行列の第１プリコード化行列指標情報ＰＭＩ１を取得するステップ８１１、または、前記レベル１プリコーディング行列の水平次元プリコード化行列指標情報Ｈ−ＰＭＩ１および垂直次元プリコード化行列指標情報Ｖ−ＰＭＩ１を取得するステップ８１２と、前記プリコーディング行列のうち、それぞれ直前レベルのプリコーディング行列から得られるレベル２〜Ｎ（２より大きい整数）プリコーディング行列のプリコード化行列指標情報を取得するステップ８２と、プリコーディング行列確定用のランク情報ＲＩを基地局に独自にフィードバックするステップ８３１、または、前記プリコーディング行列確定用のチャネル品質情報ＣＱＩを基地局に独自にフィードバックするステップ８３２、または、プリコーディング行列確定用のランク情報ＲＩと、レベル１プリコーディング行列のプリコード化行列指標情報ＰＭＩ１またはＶ−ＰＭＩ１とをジョイント符号化後に基地局にフィードバックするステップ８３３、または、前記プリコーディング行列確定用のチャネル品質情報ＣＱＩと、Ｈ−ＰＭＩ１、ＰＭＩ２〜ＰＭＩＮのうちの少なくとも１つをジョイント符号化後に基地局にフィードバックするステップ８３４とを含む。
【００５９】
上記のステップ８３１、８３２、８３３、８３４のうち、各フィードバック量のフィードバック周期は、下記の関係を有する。ＲＩのフィードバック周期は、実質上ＰＭＩ１、Ｈ−ＰＭＩ１、Ｖ−ＰＭＩ１のフィードバック周期以上であり、ＰＭＩ１のフィードバック周期は、実質上ＰＭＩ２〜ＰＭＩＮのフィードバック周期以上であり、ＰＭＩ２のフィードバック周期は、ＣＱＩのフィードバック周期と実質上同一であり、Ｖ−ＰＭＩ１のフィードバック周期は、実質上Ｈ−ＰＭＩ１のフィードバック周期以上である。
【００６０】
具体的に、Ｔ−ＰＭＩ１を、ＰＭＩ１のフィードバック周期、または、ＰＭＩ１と、ＰＭＩ１の独自フィードバックのフィードバック周期より実質上小さいフィードバック周期である他フィードバック量とのジョイント符号化後のフィードバック周期とし、Ｔ−ＰＭＩ２を、ＰＭＩ２またはＣＱＩのフィードバック周期とし、Ｔ−ＲＩを、ＲＩのフィードバック周期、または、ＲＩと、ＲＩのフィードバック周期より小さいフィードバック周期である他フィードバック量とのジョイント符号化後のフィードバック周期とし、ＭＲＩ、Ｈを正の整数とすると、Ｔ−ＲＩ＝ＭＲＩ×Ｈ×Ｎｐ；Ｔ−ＰＭＩ１＝Ｈ×Ｎｐ；Ｎｐ＝Ｔ−ＰＭＩ２／２である。
【００６１】
図９に示すように、プリコーディング行列Ｗが２レベルプリコーディング行列（Ｗ１とＷ２）から算出される場合、各レベルプリコーディング行列のプリコード化行列指標情報ＰＭＩ１、ＰＭＩ２、プリコーディング行列確定用のランク情報ＲＩ、前記プリコーディング行列確定用のチャネル品質情報ＣＱＩを基地局にそれぞれ独自にフィードバックする。ここで、ＲＩのフィードバック周期は、実質上ＰＭＩ１のフィードバック周期以上であり、ＰＭＩ１のフィードバック周期は、実質上ＰＭＩ２のフィードバック周期以上であり、ＰＭＩ２のフィードバック周期は、ＣＱＩのフィードバック周期と実質上同一である。
【００６２】
具体的に、Ｔ−ＰＭＩ１をＰＭＩ１のフィードバック周期とし、Ｔ−ＰＭＩ２をＰＭＩ２またはＣＱＩのフィードバック周期とし、Ｔ−ＲＩをＲＩのフィードバック周期とし、ＭＲＩ、Ｈを正の整数とすると、Ｔ−ＰＭＩ１＝Ｈ×Ｎｐ；Ｔ−ＲＩ＝ＭＲＩ×Ｈ×Ｎｐ；Ｔ−ＰＭＩ２／２＝Ｎｐである。
【００６３】
図１０には、ＲＩとＣＱＩの独自フィードバック、ＰＭＩ１とＰＭＩ２のジョイント符号化後のフィードバックが示されている。ここで、ＲＩのフィードバック周期は、実質上ＰＭＩ１とＰＭＩ２のジョイント符号化後のフィードバック周期以上であり、ＰＭＩ１とＰＭＩ２のジョイント符号化後のフィードバック周期は、ＣＱＩのフィードバック周期と実質上同一である。
【００６４】
具体的に、Ｔ−ＲＩをＲＩのフィードバック周期とし、ＮｐをＰＭＩ１とＰＭＩ２のジョイント符号化後のフィードバック周期とし、ＭＲＩを正の整数とすると、Ｔ−ＲＩ＝ＭＲＩ×Ｎｐである。
【００６５】
図１２には、Ｖ−ＰＭＩ１の独自フィードバック、Ｈ−ＰＭＩ１とＰＭＩ２のジョイント符号化後のフィードバックが示されている。ここで、ＲＩのフィードバック周期は、実質上Ｖ−ＰＭＩ１のフィードバック周期以上であり、Ｖ−ＰＭＩ１のフィードバック周期は、実質上Ｈ−ＰＭＩ１とＰＭＩ２のジョイント符号化後のフィードバック周期以上であり、Ｈ−ＰＭＩ１とＰＭＩ２のジョイント符号化後のフィードバック周期は、ＣＱＩのフィードバック周期と実質上同一である。
【００６６】
具体的に、Ｔ２をＲＩのフィードバック周期とし、Ｔ１をＶ−ＰＭＩ１のフィードバック周期とし、Ｎｐを、Ｈ−ＰＭＩ１とＰＭＩ２のジョイント符号化後のフィードバック周期とし、ＭＲＩ、Ｈを正の整数とすると、Ｔ１＝Ｈ×Ｎｐ；Ｔ２＝ＭＲＩ×Ｈ×Ｎｐである。
【００６７】
図１１に示すように、プリコーディング行列Ｗが２レベルプリコーディング行列（Ｗ１とＷ２）から算出される場合、プリコーディング行列確定用のランク情報ＲＩとレベル１プリコーディング行列のプリコード化行列指標情報ＰＭＩ１またはＶ−ＰＭＩ１を、ジョイント符号化後に基地局にフィードバックする。
【００６８】
図１１は、ＲＩとＶ−ＰＭＩのジョイント符号化後のフィードバック、Ｈ−ＰＭＩ２、ＰＭＩ２、ＣＱＩの独自フィードバックが示されている。ここで、ＲＩとＰＭＩ１またはＶ−ＰＭＩ１のジョイント符号化後のフィードバック周期は、実質上Ｈ−ＰＭＩ１のフィードバック周期以上であり、Ｈ−ＰＭＩ１のフィードバック周期は、実質上ＰＭＩ２のフィードバック周期以上であり、ＰＭＩ２のフィードバック周期は、ＣＱＩのフィードバック周期と実質上同一である。
【００６９】
具体的に、Ｔ３をＨ−ＰＭＩ１のフィードバック周期とし、Ｔ４をＲＩとＰＭＩ１またはＶ−ＰＭＩ１のジョイント符号化後のフィードバック周期とし、Ｔ−ＰＭＩ２をＰＭＩ２のフィードバック周期とし、ＭＲＩ、Ｈを正の整数とすると、Ｔ３＝Ｈ×Ｎｐ；Ｔ４  ＝ＭＲＩ×Ｈ×Ｎｐ；Ｔ−ＰＭＩ２／２＝Ｎｐである。
【００７０】
フィードバック時系列のあるサブフレームでフィードバック衝突が生じると、下記のフィードバックプライオリティで最高プライオリティのフィードバックを保留して低プライオリティのフィードバックを廃棄する。具体的に、ＲＩのフィードバックプライオリティは、ＰＭＩ１のフィードバックプライオリティより大きく、ＰＭＩ１のフィードバックプライオリティは、ＰＭＩ２〜ＰＭＩＮのフィードバックプライオリティより大きく、ＰＭＩ１のフィードバックプライオリティは、ＣＱＩのフィードバックプライオリティより大きく、Ｖ−ＰＭＩ１のフィードバックプライオリティは、Ｈ−ＰＭＩ１、ＰＭＩ２〜ＰＭＩＮのフィードバックプライオリティより大きい。
【００７１】
ここで、ＲＩのフィードバックプライオリティは、ＲＩ独自フィードバックのプライオリティ、または、ＲＩと他のチャネル状態情報とのジョイント符号化のフィードバックプライオリティを含む。
【００７２】
同様に、ＰＭＩ１のフィードバックプライオリティは、ＰＭＩ１独自フィードバックのプライオリティ、または、ＰＭＩ１と他のチャネル状態情報とのジョイント符号化のフィードバックプライオリティを含む。
【００７３】
同様に、Ｖ−ＰＭＩ１のフィードバックプライオリティは、Ｖ−ＰＭＩ１独自フィードバックのプライオリティ、または、Ｖ−ＰＭＩ１と他のチャネル状態情報とのジョイント符号化のフィードバックプライオリティを含む。
【００７４】
上記すべての実施例において、同一端末から２つの基地局への同時フィードバックが必要となる場合、水平次元制御可のＭＩＭＯアンテナを有する基地局（すなわち２Ｄ  ＭＩＭＯアンテナを有する基地局）である第１基地局にフィードバックする第１ＲＩのフィードバックプライオリティは、水平次元と垂直次元の別々制御可のＭＩＭＯアンテナを有する基地局である（すなわち３Ｄ  ＭＩＭＯアンテナを有する基地局）第２基地局にフィードバックする第２ＲＩのフィードバックプライオリティより大きく、第２ＲＩのフィードバックプライオリティは、第１基地局にフィードバックするＰＭＩ１のフィードバックプライオリティより大きく、第１基地局にフィードバックするＰＭＩ１のフィードバックプライオリティは、第２基地局にフィードバックするＰＭＩ１のフィードバックプライオリティより大きく、第２基地局にフィードバックするＰＭＩ１のフィードバックプライオリティは、第１基地局にフィードバックするＰＭＩ２および第１基地局にフィードバックする第１ＣＱＩのフィードバックプライオリティより大きく、第２基地局にフィードバックするＶ−ＰＭＩ１のプライオリティは、第１基地局にフィードバックするＰＭＩ１のフィードバックプライオリティより大きく、第１基地局にフィードバックするＰＭＩ１のフィードバックプライオリティは、第２基地局にフィードバックするＨ−ＰＭＩ１と第２基地局にフィードバックするＰＭＩ２のフィードバックプライオリティより大きい。
【００７５】
本開示の上記すべての実施例は、ダウンリンクデータ伝送用のプリコーディング行列の多レベルプリコーディング行列のプリコード化行列指標情報を取得し、前記多レベルプリコーディング行列の各レベルプリコーディング行列のプリコード化行列指標情報を、それぞれ基地局にフィードバックするか、ジョイント符号化後に基地局にフィードバックすることによって、より高いコードブックフィードバック負荷に対応でき、３Ｄ  ＭＩＭＯアンテナアレイのコードブックフィードバック負荷を満足することができる。
【００７６】
第４実施例
図１３に示すように、情報フィードバック装置１３０は、ダウンリンクデータ伝送用のプリコーディング行列の多レベルプリコーディング行列のプリコード化行列指標情報を取得するための取得モジュール１３１と、前記多レベルプリコーディング行列の各レベルプリコーディング行列のプリコード化行列指標情報を、それぞれ基地局にフィードバックするか、ジョイント符号化後に基地局にフィードバックするためのフィードバックモジュール１３２とを含む。
【００７７】
前記取得モジュール１３１は、ダウンリンクデータ伝送用のプリコーディング行列のレベル１プリコーディング行列の次元を取得するための第１取得ユニットと、前記レベル１プリコーディング行列の次元に基づいて、前記レベル１プリコーディング行列のプリコード化行列指標情報を取得するための第２取得ユニットと、前記プリコーディング行列のうち、それぞれ直前レベルのプリコーディング行列から得られるレベル２〜Ｎ（２より大きい整数）プリコーディング行列のプリコード化行列指標情報を取得するための第３取得ユニットとを含む。
【００７８】
前記第２取得ユニットは、具体的に、前記レベル１プリコーディング行列の第１プリコード化行列指標情報ＰＭＩ１を取得すること、または、前記レベル１プリコーディング行列の水平次元プリコード化行列指標情報Ｈ−ＰＭＩ１および垂直次元プリコード化行列指標情報Ｖ−ＰＭＩ１を取得するために用いられる。
【００７９】
前記フィードバックモジュール１３２は、前記レベル１プリコーディング行列の第１プリコード化行列指標情報ＰＭＩ１およびレベル２〜Ｎプリコーディング行列のプリコード化行列指標情報ＰＭＩ２〜ＰＭＩＮをそれぞれ基地局にフィードバックすること、または、前記レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮをそれぞれ基地局にフィードバックするための第１独自フィードバックユニット、または、前記レベル１プリコーディング行列の第１プリコード化行列指標情報ＰＭＩ１、レベル２〜Ｎプリコーディング行列のプリコード化行列指標情報ＰＭＩ２〜ＰＭＩＮのうちの少なくとも２つをジョイント符号化後に基地局にフィードバックすること、または、前記レベル１プリコーディング行列の水平次元プリコード化行列指標情報Ｈ−ＰＭＩ１、垂直次元プリコード化行列指標情報Ｖ−ＰＭＩ１、およびレベル２〜Ｎプリコーディング行列のプリコード化行列指標情報ＰＭＩ２〜ＰＭＩＮのうちの少なくとも２つをジョイント符号化後に基地局にフィードバックするための第１ジョイントフィードバックユニットを含む。
【００８０】
前記フィードバックモジュール１３２は、プリコーディング行列確定用のランク情報ＲＩを基地局に独自にフィードバックすること、または、前記プリコーディング行列確定用のチャネル品質情報ＣＱＩを基地局に独自にフィードバックするための第２独自フィードバックユニット、または、プリコーディング行列確定用のランク情報ＲＩと、レベル１プリコーディング行列のプリコード化行列指標情報ＰＭＩ１またはＶ−ＰＭＩ１とをジョイント符号化後に基地局にフィードバックすること、または、前記プリコーディング行列確定用のチャネル品質情報ＣＱＩと、Ｈ−ＰＭＩ１、ＰＭＩ２〜ＰＭＩＮのうちの少なくとも１つをジョイント符号化後に基地局にフィードバックするための第２ジョイントフィードバックユニットをさらに含む。
【００８１】
ここで、ＲＩのフィードバック周期は、実質上ＰＭＩ１、Ｈ−ＰＭＩ１、Ｖ−ＰＭＩ１のフィードバック周期以上であり、ＰＭＩ１のフィードバック周期は、実質上ＰＭＩ２〜ＰＭＩＮのフィードバック周期以上であり、ＰＭＩ２のフィードバック周期は、ＣＱＩのフィードバック周期と実質上同一であり、Ｖ−ＰＭＩ１のフィードバック周期は、実質上Ｈ−ＰＭＩ１のフィードバック周期以上である。
【００８２】
具体的に、Ｔ−ＰＭＩ１を、ＰＭＩ１のフィードバック周期、または、ＰＭＩ１と、ＰＭＩ１の独自フィードバックのフィードバック周期より実質上小さいフィードバック周期である他フィードバック量とのジョイント符号化後のフィードバック周期とし、Ｔ−ＰＭＩ２を、ＰＭＩ２またはＣＱＩのフィードバック周期とし、Ｔ−ＲＩを、ＲＩのフィードバック周期、または、ＲＩと、ＲＩのフィードバック周期より小さいフィードバック周期である他フィードバック量とのジョイント符号化後のフィードバック周期とし、ＭＲＩ、Ｈを正の整数とすると、Ｔ−ＲＩ＝ＭＲＩ×Ｈ×Ｎｐ；Ｔ−ＰＭＩ１＝Ｈ×Ｎｐ；Ｎｐ＝Ｔ−ＰＭＩ２／２である。
【００８３】
ここで、ＲＩのフィードバックプライオリティは、ＰＭＩ１のフィードバックプライオリティより大きく、ＰＭＩ１のフィードバックプライオリティは、ＰＭＩ２〜ＰＭＩＮのフィードバックプライオリティより大きく、ＰＭＩ１のフィードバックプライオリティは、ＣＱＩのフィードバックプライオリティより大きく、Ｖ−ＰＭＩ１のフィードバックプライオリティは、Ｈ−ＰＭＩ１、ＰＭＩ２〜ＰＭＩＮのフィードバックプライオリティより大きい。
【００８４】
ここで、同一端末から２つの基地局への同時フィードバックが必要となる場合、前記フィードバックモジュールから、水平次元制御可のＭＩＭＯアンテナを有する基地局である第１基地局にフィードバックする第１ＲＩのフィードバックプライオリティは、水平次元と垂直次元の別々制御可のＭＩＭＯアンテナを有する基地局である第２基地局にフィードバックする第２ＲＩのフィードバックプライオリティより大きく、前記第２ＲＩのフィードバックプライオリティは、第１基地局にフィードバックするＰＭＩ１のフィードバックプライオリティより大きく、第１基地局にフィードバックするＰＭＩ１のフィードバックプライオリティは、第２基地局にフィードバックするＰＭＩ１のフィードバックプライオリティより大きく、第２基地局にフィードバックするＰＭＩ１のフィードバックプライオリティは、第１基地局にフィードバックするＰＭＩ２および第１基地局にフィードバックする第１ＣＱＩのフィードバックプライオリティより大きく、第２基地局にフィードバックするＶ−ＰＭＩ１のフィードバックプライオリティは、第１基地局にフィードバックするＰＭＩ１のフィードバックプライオリティより大きく、第１基地局にフィードバックするＰＭＩ１のフィードバックプライオリティは、第２基地局にフィードバックするＨ−ＰＭＩ１と第２基地局にフィードバックするＰＭＩ２のフィードバックプライオリティより大きい。
【００８５】
なお、当該装置の実施例は、上記の方法実施例に一対一に対応する装置であり、上記方法実施例におけるすべての実現方式は、いずれも当該装置の実施例に適用し、基本的に同一の技術的効果を達成することもできる。
【００８６】
第５実施例
図１４に示すように、端末は、プロセッサ１４１と、バスインタフェースを介して前記プロセッサに接続し、前記プロセッサ１４２による操作実行時に使用されるプログラムとデータを記憶するためのメモリ１４３とを含む。プロセッサが前記メモリからプログラムとデータを呼び出して実行する場合、前記端末は、ダウンリンクデータ伝送用のプリコーディング行列の多レベルプリコーディング行列のプリコード化行列指標情報を取得するステップと、前記多レベルプリコーディング行列の各レベルプリコーディング行列のプリコード化行列指標情報を、それぞれ基地局にフィードバックするか、ジョイント符号化後に基地局にフィードバックするステップとを実行する。
【００８７】
当該プロセッサは、上記情報フィードバック装置のほかのいずれか１つのモジュールの機能を実現するためにも用いられる。
【００８８】
当業者にとって、下記事項が理解可能である。上記実施例を実現するステップのすべてまたは一部は、ハードウェアによって実行されてもよく、コンピュータプログラムを介して関連のハードウェアに指示を与えることによって実行されてもよい。ここでいうコンピュータプログラムは、上記方法のすべてまたは一部のステップを実行する指令を含み、かつ読み取り可能な媒体に記憶される。記憶媒体は、あらゆる形態の記憶媒体である。
【００８９】
以上の記載は、本開示の好適な実施形態である。なお、当業者にとって、本開示に記載する原理を逸脱することなく、さらにいくつかの改良や修飾を為すことができる。これらの改良や修飾も、本開示の保護範囲であるとみなされるべきである。
【図１】
0006723345.tif 000004
【図２】
0006723345.tif 000005
【図３】
0006723345.tif 000006
【図４】
0006723345.tif 000007
【図５】
0006723345.tif 000008
【図６】
0006723345.tif 000009
【図７】
0006723345.tif 000010
【図８】
0006723345.tif 000011
【図９】
0006723345.tif 000012
【図１０】
0006723345.tif 000013
【図１１】
0006723345.tif 000014
【図１２】
0006723345.tif 000015
【図１３】
0006723345.tif 000016
【図１４】
0006723345.tif 000017